(57)【要約】【課題】  防水機能を有しランプハウジング内を効率的に冷却可能な電動ファン装置を提供する。【解決手段】  放熱部１０２に固定される電動軸流ファン２０２の底部には、リング状の弧形気流誘導板１０３とともにリング状に形成される流体入口２０８が設けられる。シャフト２０６は、排出羽根２０７の下端に接続するとともに軸受２０３、およびスポーク状ディスク結合部１０８を通って上方に延び、軸受２０４を介して密閉蓋２０９に接続する。タービンのブレード状に配置される排出羽根２０７の上端は、密閉蓋２０９に接続する。排出羽根２０７および密閉蓋２０９は電動軸流ファン２０２を保護する。電動軸流ファン２０２により弧形気流誘導板１０３および放熱部１０２の頂部周辺の空気が内部に導入される。内部に導入された空気は排出羽根２０７を通って周囲に排出される。これにより、ランプハウジング内を効率的に冷却することができる。【選択図】  図１
2013048092.tif 000002
【特許請求の範囲】
【請求項１】
ランプの放熱ランプハウジング頂部に、電気エネルギーで駆動する電動軸流ファンを設置することにより、気流をタービンのブレード状に配置される防水カバーの内部へ送り込み、電動軸流ファンが稼動するとき、気流は密閉式放熱ランプハウジングの比較的熱いランプハウジング頂部の外側から真ん中に流れ込んでから、上方に向って防水カバーの下側の軸方向に形成される気流入口に進入し、かつタービンのブレード状に配置されるカバーを通して周囲に排出し、ハイパワーＬＥＤランプセットを含むハイパワーランプを使用するとき、ランプハウジングの比較的熱い頂部に対して、外冷式気流で冷却しながら、防水密閉効果を有し、外部風力によりタービンのブレード状に配置される防水カバーを駆動、回転させるとき、排出放熱効果を高めることができ、その主な構成は次の通りであって、
熱源ハウジング（１０１）は、熱伝導体または非熱伝導体により構成され、その真ん中に熱伝導材料により構成されかつ円形または円錐形の放熱部（１０２）を設け、放熱部（１０２）は熱源ハウジング（１０１）と一体であり、または個別の部材を組み合わせることにより構成され、放熱部（１０２）の底部外部が熱エネルギーを受け、熱源ハウジング（１０１）は放熱部（１０２）の周辺に沿って、電動軸流ファン（２０２）の底部との間にリング状の弧形気流誘導板（１０３）を設け、
電動軸流ファン（２０２）は、内蔵電動機およぶ電動機が駆動する羽根車により構成され、その下端は放熱部頂部（１０４）の近くに設置され、電動軸流ファン（２０２）の頂部に一つの固定座（１０６）を設置し、電動軸流ファン（２０２）底部にリング状の弧形気流誘導板（１０３）を設置し、上記二者と電動軸流ファン（２０２）とを放熱部（１０２）の上に固定し、固定座（１０６）の中心にシャフト（２０６）を設け、また上に向って延伸し、軸受（２０３）、スポーク状ディスク結合部（１０８）、およびリング状に形成されタービンのブレード状に径外方向に配置される排出羽根（２０７）の下側を経て上に向って延び、また軸受（２０４）を経て密閉蓋（２０９）に結合し、排出羽根（２０７）の上側は、内側にフローガイドコーン（１０７）を備える密閉蓋（２０９）の内部に結合し、電動軸流ファン（２０２）の底部は、リング状の流体入口（２０８）を備え、電動軸流ファン（２０２）のポンピングを介して、リング状の弧形気流誘導板（１０３）および放熱部（１０２）の頂部周辺を流れる気流を内部に導入し、排出羽根（２０７）を経て周囲へ排出し、排出羽根（２０７）の頂部は密閉蓋（２０９）を備えることにより、電動軸流ファン（２０２）を保護することを特徴とする電動ファン装置。
【請求項２】
外部の熱エネルギーソースを受ける放熱部（１０２）の底部は、下記の一種または一種以上の熱エネルギーソースである、
１）  直流入力タイプＬＥＤ照明、
２）  交流入力タイプＬＥＤ照明、
３）  ガス式ランプセット、
４）  蛍光灯、
５）  電球、
６）  電熱装置の熱源、
７）  化学熱源、
８）  燃焼熱源、
９）  光熱装置の熱源、
１０）  蒸気またはガス熱源、
１１）  水またはオイルの液相の熱源、
１２）  自然熱源、
を含むことを特徴とする請求項１に記載の電動ファン装置。
【請求項３】
熱拡散機能を有する発光装置（３０６）の熱エネルギーを外部へ放熱し、その主な構成は次の通りであって、
熱源ハウジング（１０１）は、熱伝導体または非熱伝導体により構成され、その真ん中に熱伝導材料により構成され、かつ円形または円錐形の放熱部（１０２）を設け、放熱部（１０２）は熱源ハウジング（１０１）と一体であり、または個別の部材を組み合わせることにより構成され、放熱部（１０２）の底部に発光装置（３０６）、例えば発光ダイオード（ＬＥＤ）を設置し、熱源ハウジング（１０１）は放熱部（１０２）の周辺に沿って、電動軸流ファン（２０２）の底部との間にリング状の弧形気流誘導板（１０３）を設け、熱源ハウジング（１０１）、透光性かさ（３０８）、および透光性ベース（３０９）を支持体（１００）に結合し、
電動軸流ファン（２０２）は、内蔵電動機および電動機が駆動する羽根車により構成され、その下端は放熱部頂部（１０４）の近くに設置され、電動軸流ファン（２０２）の頂部に一つの固定座（１０６）を設置し、電動軸流ファン（２０２）の底部にリング状の弧形気流誘導板（１０３）を設置し、上記二者と電動軸流ファン（２０２）とを放熱部（１０２）上に固定し、固定座（１０６）の中心にシャフト（２０６）を設け、また上に向って延伸し、軸受（２０３）、スポーク状ディスク結合部（１０８）、およびリング状に形成されタービンのブレード状に径外方向に配置される排出羽根（２０７）の下側を経て上方に向って延び、また軸受（２０４）を経て密閉蓋（２０９）に結合し、排出羽根（２０７）の上側は、内側にフローガイドコーン（１０７）を備える密閉蓋（２０９）の内部に結合し、電動軸流ファン（２０２）の底部は、リング状の軸方向の流体入口（２０８）を備え、電動軸流ファン（２０２）のポンピングを通して、リング状の弧形気流誘導板（１０３）および放熱部（１０２）頂部周辺を流れる気流を内部に導入し、更に排出羽根（２０７）を経て周りへ排出し、排出羽根（２０７）の頂部には密閉蓋（２０９）を備えることにより、電動軸流ファン（２０２）を保護し、
発光装置（３０６）は、下記の一種または一種以上の同時に光エネルギーと熱エネルギーを形成する電気エネルギーで駆動する発光ランプから構成され、
１）  直流入力タイプＬＥＤ照明、
２）  交流入力タイプＬＥＤ照明、
３）  ガス式ランプセット、
４）  蛍光灯、
５）  電球、
環状反射装置（３０７）は、発せられる光を反射または屈折させるか、または集束または拡散させる装置から構成され、発光装置（３０６）から出る光を外部に投射し、
透光性かさ（３０８）は、ランプ周りに設置され、かつ発光装置（３０６）が発する光の障害にならないように環状反射装置（３０７）を経て、光を外部に投射し、
透光性ベース（３０９）は、ランプ底部に設置され、支持体（１００）と結合することを特徴とする請求項１に記載の電動ファン装置。
【請求項４】
更に一歩進ませ、温度スイッチ（３０５）を設置することにより、電気エネルギーで駆動する発光装置（３０６）の温度上昇を監視し、
温度スイッチ（３０５）は、電機式またはダブルメタルシートまたは記憶合金により構成されるエレクトロメカニカルスイッチ、またはサーミスタまたは熱電対によって駆動される半導体スイッチであり、放熱部（１０２）の発光装置（３０６）の近い位置に一個または一個以上の温度スイッチ（３０５）を設置し、発光装置（３０６）から放熱部（１０２）の温度スイッチ（３０５）に伝わる熱による温度が温度設定値を超えたとき、全部または一部の発光装置（３０６）の電源を切断することにより、発光装置（３０６）が過熱したり、破損したりすることを防ぐことを特徴とする請求項３に記載の電動ファン装置。
【請求項５】
熱拡散機能を有する熱源装置（３０４）の熱エネルギーに外部に対して放出し、その主な構成は次の通りであって、
熱源ハウジング（１０１）は、熱伝導体または非熱伝導体により構成されることを含み、その真ん中に熱伝導材料により構成され、かつ円形または円錐形の放熱部（１０２）を設け、放熱部（１０２）は熱源ハウジング（１０１）と一体であり、または個別の構造を組み合わせることにより構成されることができ、放熱部（１０２）の底部に熱源装置（３０４）を設置し、熱源ハウジング（１０１）は放熱部（１０２）の周辺に沿って、電動軸流ファン（２０２）底部との間にリング状の弧形気流誘導板（１０３）を設け、
電動軸流ファン（２０２）は、内蔵電動機および電動機で駆動する羽根車から構成され、その下端は放熱部頂部（１０４）の近くに設置され、電動軸流ファン（２０２）の頂部に一つの固定座（１０６）を設置し、電動軸流ファン（２０２）の底部にリング状の弧形気流誘導板（１０３）を設置し、上記二者と電動軸流ファン（２０２）とを放熱部（１０２）の上に固定し、固定座（１０６）の中心にシャフト（２０６）を設け、また上に向って延伸し、軸受（２０３）、スポーク状ディスク結合部（１０８）、およびリング状に形成されタービンのブレード状に径外方向に配置される排出羽根（２０７）の下側を経て上に向って延伸し、また軸受（２０４）を経て密閉蓋（２０９）に結合し、排出羽根（２０７）の上側は、内側にフローガイドコーン（１０７）を備える密閉蓋（２０９）の内部に結合し、電動軸流ファン（２０２）の底部は、リング状の軸方向の流体入口（２０８）を備え、電動軸流ファン（２０２）のポンピングを通して、リング状の弧形気流誘導板（１０３）と放熱部（１０２）の頂部周辺を流れる気流を内部に導入し、排出羽根（２０７）を経て周りへ排出し、排出羽根（２０７）の頂部は密閉蓋（２０９）を備えることにより、電動軸流ファン（２０２）を保護し、
熱源装置（３０４）は、下記の一種または一種以上の熱源装置（３０４）である、
１）  電熱装置の熱源、
２）  化学熱源、
３）  燃焼熱源、
４）  光熱装置の熱源、
５）  蒸気またはガス熱源、
６）  水またはオイルの液相熱源、
７）  自然熱源
から構成されることを特徴とする請求項１に記載の電動ファン装置。
【請求項６】
更に一歩進ませ、熱源装置ハウジング（３１０）を含み、
熱源装置ハウジング（３１０）は、密閉または半密閉型のハウジングであり、その内部に熱源装置（３０４）を設置することを特徴とする請求項５に記載の電動ファン装置。
【請求項７】
更に一歩進ませ、温度スイッチ（３０５）を設置することにより、熱源装置（３０４）の温度上昇を監視し、
温度スイッチ（３０５）は、電機式またはダブルメタルシートまたは記憶合金により構成されるエレクトロメカニカルスイッチ、またはサーミスタまたは熱電対によって駆動される半導体スイッチであり、放熱部（１０２）の熱源装置（３０４）の近い位置に一個または一個以上の温度スイッチ（３０５）を設置し、熱源装置（３０４）から放熱部（１０２）の温度スイッチ（３０５）に伝わる熱による温度が温度設定値を超えたとき、全部または一部の熱源装置（３０４）の稼動を停止することにより、熱源装置（３０４）が過熱したり、破損したりすることを防ぐことを特徴とする請求項６に記載の電動ファン装置。
【請求項８】
ネットカバー（３０１）を設置し、
ネットカバー（３０１）は、網状に形成されており、電動軸流ファン（２０２）を保護し、熱源ハウジング（１０１）に固定され、その頂部はネットカバー（３０１）により構成され、または密閉蓋（３０３）により構成されることを特徴とする請求項１、３、または５に記載の電動ファン装置。
【発明の詳細な説明】
【技術分野】
【０００１】
本発明は、電動ファン装置に関し、特に防水機能を有するランプハウジング用電動ファン装置に関するものである。
【背景技術】
【０００２】
従来、密閉空間内部に設置される発熱装置、例えばハイパワーランプセットは、通常熱伝導材料により密封された頂部を有している。頂部は、放熱ハウジングとして熱エネルギーを上方へ排出するとともに上方からの雨水が浸入することを防止する。
【先行技術文献】
【特許文献】
【０００３】
【特許文献１】特開平０６−１２０５６７号公報
【発明の概要】
【発明が解決しようとする課題】
【０００４】
しかしながら、例えばＬＥＤをハイパワーランプとして用いるランプのハウジングでは、自然対流により冷却されるため、冷却効果が十分でない。また、冷却ファンを備える場合、防水処理が難しいため、構成が複雑になるおそれがある。
【０００５】
本発明の目的は、防水機能を有しランプハウジング内を効率的に冷却可能な電動ファン装置を提供することにある。
【課題を解決するための手段】
【０００６】
本発明の電動ファン装置は、ハイパワーランプ用の密閉型のランプハウジング内にタービンのブレード状に配置される防水カバーを備える電動軸流ファンから構成される。高熱の空気は密閉型のランプハウジングの周辺から真ん中に流れ込む。一方、電動軸流ファンが通電により作動すると、タービンのブレード状に配置される排出羽根の下側に形成されている気流入口から外部の空気が密閉型のランプハウジング内に進入し、排出羽根により周囲に排出される。ハイパワーランプを使用するとき、ランプハウジングの比較的熱い頂部に対して気流の冷却効果を得ることができ、かつ防水機能を妨げない。また、気流の流れがないときでも、電動軸流ファンが気流入口を介して気流を防空間にポンピングすることにより、渦輪を形成する排出羽根が回転し、気流入口から導入される気流を周囲に排出することができる。
【０００７】
また、風力または熱流により駆動されるタービンのブレード状に配置される排出羽根は、密封された頂部を備えられる。複数枚の排出羽根の間に隙間があり、同じ傾斜角で一部が重ね合うようにリング状に設置される。
【０００８】
本発明はランプハウジングに電気エネルギーにより駆動する電動軸流ファンを設置することにより、気流を内部へ送り込む。電動軸流ファンが稼動するとき、タービンのブレード状に配置される排出羽根の下側に形成されている気流入口を介して外部の空気がランプハウジングの外側から真ん中に流れ込み、排出羽根を通って周囲に排出される。ハイパワーランプ、例えばハイパワーＬＥＤランプセットを使用するとき、外部からの空気の流れにより排出放熱効果を高めることができる。
【図面の簡単な説明】
【０００９】
【図１】本発明の一実施形態による電動ファン装置の断面図を示す。
【図２】本発明の一実施形態による電動ファン装置の上面図を示す。
【図３】本発明の一実施形態による電動ファン装置を発光装置に適用した場合の断面図を示す。
【図４】図３のＡ−Ａ線断面図を示す。
【図５】本発明の一実施形態による電動ファン装置を熱源装置に適用した場合の断面図を示す。
【図６】本発明の一実施形態による電動ファン装置を熱源装置に適用した場合の上面図を示す。
【発明を実施するための形態】
【００１０】
以下、本発明の実施形態について図面に基づいて説明する。
【００１１】
（一実施形態）
図１に一実施形態による電動ファン装置の断面図を示す。図２に上面図を示す。その主な構成は次の通りである。
【００１２】
熱源ハウジング１０１は、熱伝導体または熱伝導体以外の材料から形成される。中央には熱伝導材料により構成され、円形または錐形の径方向と垂直する羽根を備える放熱部１０２が設けられる。放熱部１０２は、熱源ハウジング１０１と一体であるか、または個別の部材を組み合わせることにより構成される。放熱部１０２の底部外周は、外部からの熱エネルギーを受ける。熱源ハウジング１０１は、放熱部１０２に沿って設けられ、電動軸流ファン２０２の底部との間にリング状の弧形気流誘導板１０３が設けられる。
【００１３】
電動軸流ファン２０２は、内蔵電動機および電動機が駆動する羽根車から構成される。その下端は放熱部頂部１０４の近くに設置され、電動軸流ファン２０２の頂部に一つの固定座１０６が設置される。電動軸流ファン２０２の底部には、リング状の弧形気流誘導板１０３が設置され、上記二者と電動軸流ファン２０２とが放熱部１０２の上に固定される。固定座１０６にはシャフト２０６の一端が設けられる。シャフト２０６は、リング状に形成されタービンのブレード状に径外方向に配置される排出羽根２０７の下側に接続するとともに、軸受２０３、およびスポーク状ディスク結合部１０８を介して上方に向って延び、軸受２０４を経て密閉蓋２０９に結合する。排出羽根２０７の上側は、内側にフローガイドコーン１０７を備える密閉蓋２０９の内部に結合する。電動軸流ファン２０２の底部は、軸方向からみてリング状に形成される流体入口２０８を備える。電動軸流ファン２０２のポンピングを介してリング状の弧形気流誘導板１０３および放熱部１０２の頂部周辺を流れる気流が内部に進入する。更に排出羽根２０７を経て周囲に排出されるが、排出羽根２０７の頂部には密閉蓋２０９が備えられているため、電動軸流ファン２０２は保護される。
【００１４】
外部の熱エネルギーを受ける放熱部１０２の底部には、下記の一種または一種以上の熱エネルギー源が接続する。
１  直流入力タイプＬＥＤ照明。
２  交流入力タイプＬＥＤ照明。
３  ガス式ランプセット。
４  蛍光灯。
５  電球。
６  電熱装置の熱源。
７  化学熱源。
８  燃焼熱源。
９  光熱装置の熱源。
１０  蒸気またはガス熱源。
１１  水またはオイルの液相の熱源。
１２  自然熱源。
【００１５】
ネットカバー３０１は、網状に形成されており、電動軸流ファン２０２を保護し、熱源ハウジング１０１に固定される。その頂部はネットカバー３０１、または密閉蓋３０３から構成される。
【００１６】
一実施形態による電動ファン装置は、熱拡散ユニットを有する発光装置３０６の熱エネルギーを外部へ放熱する。
【００１７】
図３に一実施形態による電動ファン装置を熱拡散ユニットを有する発光装置３０６に適用した場合の断面図を示す。図４には図３のＡ−Ａ線断面図を示す。その主な構成は次の通りである。
【００１８】
熱源ハウジング１０１は、熱伝導体または熱伝導体以外の材料から形成される。中央には熱伝導材料により構成され、円形または錐形の径方向と垂直する羽根を備える放熱部１０２が設けられる。放熱部１０２は、熱源ハウジング１０１と一体であるか、または個別の部材を組み合わせることにより構成される。放熱部１０２の底部に発光装置３０６、例えば発光ダイオードが設置される。熱源ハウジング１０１は、放熱部１０２に沿って設けられ、電動軸流ファン２０２の底部との間にリング状の弧形気流誘導板１０３が設けられる。熱源ハウジング１０１、透光性かさ３０８および透光性ベース３０９は支持体１００に接続する。
【００１９】
電動軸流ファン２０２は、内蔵電動機および電動機が駆動する羽根車から構成される。その下端は放熱部頂部１０４の近くに設置され、電動軸流ファン２０２の頂部に一つの固定座１０６が設置される。電動軸流ファン２０２の底部には、リング状の弧形気流誘導板１０３が設置され、上記二者と電動軸流ファン２０２とが放熱部１０２の上に固定される。固定座１０６にはシャフト２０６が設けられる。シャフト２０６は、リング状に形成されタービンのブレード状に径外方向に配置される排出羽根２０７の下側に接続するとともに、軸受２０３、およびスポーク状ディスク結合部１０８を介して上方に向って延び、軸受２０４を経て密閉蓋２０９に結合する。排出羽根２０７の上側は、内側にフローガイドコーン１０７を備える密閉蓋２０９の内部に結合する。電動軸流ファン２０２の底部は、軸方向からみてリング状に形成される流体入口２０８を備える。電動軸流ファン２０２のポンピングを介してリング状の弧形気流誘導板１０３および放熱部１０２の頂部周辺を流れる気流が内部に進入する。更に排出羽根２０７を経て周りへ排出されるが、排出羽根２０７の頂部には密閉蓋２０９が備えられているため、電動軸流ファン２０２は保護される。
【００２０】
発光装置３０６は、下記の一種または一種以上の光エネルギーおよび熱エネルギーを形成する電気エネルギーで駆動する発光ランプから構成される。
１  直流入力タイプＬＥＤ照明。
２  交流入力タイプＬＥＤ照明。
３  ガス式ランプセット。
４  蛍光灯。
５  電球。
【００２１】
環状反射装置３０７は、発せられる光を反射または屈折させるか、または集束または拡散させる装置から構成され、発光装置３０６から出る光を外部に投射する。
【００２２】
透光性かさ３０８は、ランプの周囲に設置され、かつ発光装置３０６が発する光の障害にならないように環状反射装置３０７を経て、光を外部に投射する。
【００２３】
透光性ベース３０９は、ランプの底部に設置され、支持体１００と結合する。
【００２４】
ネットカバー３０１は、網状に形成されており、電動軸流ファン２０２を保護し、熱源ハウジング１０１に固定される。その頂部はネットカバー３０１、または密閉蓋３０３から構成される。
【００２５】
図３および４に示した電動ファン装置は、温度スイッチ３０５を設置することにより、電気エネルギーにより駆動される発光装置３０６の温度上昇を監視する。
【００２６】
温度スイッチ３０５は、電機式またはダブルメタルシートまたは記憶合金により構成されるエレクトロメカニカルスイッチ、またはサーミスタや熱電対によって駆動される半導体スイッチである。放熱部１０２の発光装置３０６の近い位置に一個または一個以上の温度スイッチ３０５が設置され、発光装置３０６から放熱部１０２の温度スイッチ３０５に伝わる熱による温度が温度設定値を超えたとき、全部または一部の発光装置３０６の電源を切断することにより、発光装置３０６が過熱したり、破損したりすることを防ぐ。
【００２７】
一実施形態による電動ファン装置は、熱拡散機能を有する熱源装置３０４の熱エネルギーを外部に放出する。
【００２８】
図５に一実施形態による電動ファン装置を備える熱源装置３０４の断面図を示す。図６には上面図を示す。その主な構成は次の通りである。
【００２９】
熱源ハウジング１０１は、熱伝導体または熱伝導体以外の材料から形成される。中央には熱伝導材料により構成され、円形または錐形の径方向と垂直する羽根を備える放熱部１０２が設けられる。放熱部１０２は、熱源ハウジング１０１と一体であるか、または個別の部材を組み合わせることにより構成される。放熱部１０２の底部に熱源装置３０４が設置される。熱源ハウジング１０１は、放熱部１０２に沿って設けられ、電動軸流ファン２０２の底部との間にリング状の弧形気流誘導板１０３を設ける。
【００３０】
電動軸流ファン２０２は、内蔵電動機および電動機が駆動する羽根車から構成される。その下端は放熱部頂部１０４の近くに設置され、電動軸流ファン２０２の頂部に一つの固定座１０６が設置される。電動軸流ファン２０２の底部には、リング状の弧形気流誘導板１０３が設置され、上記二者と電動軸流ファン２０２とが放熱部１０２の上に固定される。固定座１０６にはシャフト２０６が設けられる。シャフト２０６は、リング状に形成されタービンのブレード状に径外方向に配置される排出羽根２０７の下側に接続するとともに、軸受２０３、およびスポーク状ディスク結合部１０８を介して上方に向って延び、軸受２０４を経て密閉蓋２０９に結合する。排出羽根２０７の上側は、内側にフローガイドコーン１０７を備える密閉蓋２０９の内部に結合する。電動軸流ファン２０２の底部は、軸方向からみてリング状に形成される流体入口２０８を備える。電動軸流ファン２０２のポンピングを介してリング状の弧形気流誘導板１０３および放熱部１０２の頂部周辺を流れる気流が内部に進入する。更に排出羽根２０７を経て周りへ排出されるが、排出羽根２０７の頂部には密閉蓋２０９が備えられているため、電動軸流ファン２０２は保護される。
【００３１】
熱源装置３０４は、下記の一種または一種以上の熱源装置３０４から構成される。
１  電熱装置の熱源。
２  化学熱源。
３  燃焼熱源。
４  光熱装置の熱源。
５  蒸気またはガス熱源。
６  水またはオイルの液相熱源。
７  自然熱源。
【００３２】
熱源装置ハウジング３１０は、密閉または半密閉型のハウジングであり、その内部に熱源装置３０４を収容する。
【００３３】
ネットカバー３０１は、網状に形成されており、電動軸流ファン２０２を保護し、熱源ハウジング１０１に固定される。その頂部はネットカバー３０１、または密閉蓋３０３から構成される。
【００３４】
図５および６に示した電動ファン装置は、温度スイッチ３０５を設置することにより、熱源装置３０４の温度上昇を監視する。
【００３５】
温度スイッチ３０５は、電気式またはダブルメタルシートまたは記憶合金により構成されるエレクトロメカニカルスイッチ、またはサーミスタや熱電対によって駆動される半導体スイッチである。放熱部１０２の熱源装置３０４の近い位置に一個または一個以上の温度スイッチ３０５が設置され、熱源装置３０４から放熱部１０２の温度スイッチ３０５に伝わる熱による温度が温度設定値を超えたとき、全部または一部の熱源装置３０４の稼動を停止することにより、熱源装置３０４が過熱したり、破損したりすることを防ぐ。
【符号の説明】
【００３６】
１００：支持体、
１０１：熱源ハウジング、
１０２：放熱部、
１０３：弧形気流誘導板、
１０４：放熱部頂部、
１０６：固定座、
１０７：フローガイドコーン、
１０８：スポーク状ディスク結合部、
２０２：電動軸流ファン
２０３、２０４：軸受、
２０６：シャフト、
２０７：排出羽根、
２０８：流体入口、
２０９：密閉蓋、
３０１：ネットカバー、
３０３：密閉蓋、
３０４：熱源装置、
３０５：温度スイッチ、
３０６：発光装置、
３０７：環状反射装置、
３０８：透光性かさ、
３０９：透光性ベース、
３１０：熱源装置ハウジング。
【図１】
2013048092.tif 000003
【図２】
2013048092.tif 000004
【図３】
2013048092.tif 000005
【図４】
2013048092.tif 000006
【図５】
2013048092.tif 000007
【図６】
2013048092.tif 000008